(57)【要約】【課題】画像圧縮装置にて画像データの誤りを是正することが可能な画像圧縮装置、画像圧縮誤り是正装置、それらを用いる誤り是正システムならびに誤り是正方法を提供する。【解決手段】入力画像２１の画像特徴を抽出生成する画像特徴抽出生成部１１と、入力画像２１を圧縮する画像圧縮部１２と、画像特徴抽出生成部１１で抽出生成された画像特徴データ２２ａと画像圧縮部１２で圧縮された圧縮画像データ２３とを対向装置へ多重送信する多重送信部１３とを含み、画像圧縮部１２は対向装置から送信された是正信号２４に基づき画像データの誤りを是正する。【選択図】      図１
2009182540.tif 000002
【特許請求の範囲】
【請求項１】
入力画像の画像特徴を抽出生成する画像特徴抽出生成部と、
入力画像を圧縮する画像圧縮部と、
前記画像特徴抽出生成部で抽出生成された画像特徴データと前記画像圧縮部で圧縮された圧縮画像データとを対向装置へ多重送信する多重送信部とを含み、
前記画像圧縮部は前記対向装置から送信された是正信号に基づき画像データの誤りを是正することを特徴とする画像圧縮装置。
【請求項２】
前記画像特徴抽出生成部は特徴抽出の生成を画像解像度調整により実現することを特徴とする請求項１記載の画像圧縮装置。
【請求項３】
前記入力画像は動画であることを特徴とする請求項１または２記載の画像圧縮装置。
【請求項４】
対向装置から送信された入力画像の画像特徴データおよび前記入力画像の圧縮画像データを多重した多重データから、前記画像特徴データおよび前記圧縮画像データを分離する多重分離部と、
前記分離された圧縮画像データを伸張する画像伸張部と、
前記伸張された画像データの画像特徴を抽出生成する画像特徴抽出生成部と、
前記分離された画像特徴データと前記画像特徴抽出生成部で抽出生成された画像特徴データとを比較し不一致であった場合に是正信号を前記対向装置へ送信する是正信号送信部とを含むことを特徴とする画像圧縮誤り是正装置。
【請求項５】
前記画像特徴抽出生成部は特徴抽出の生成を画像解像度調整により実現することを特徴とする請求項４記載の画像圧縮誤り是正装置。
【請求項６】
前記入力画像は動画であることを特徴とする請求項４または５記載の画像圧縮誤り是正装置。
【請求項７】
請求項１から３いずれかに記載の画像圧縮装置および請求項４から６いずれかに記載の画像圧縮誤り是正装置を含むことを特徴とする誤り是正システム。
【請求項８】
請求項１から３いずれかに記載の画像圧縮装置から送信された多重データのうちの圧縮画像データを蓄積する蓄積装置と、
前記圧縮画像データを伸張する伸張装置と、
前記伸張された画像データを表示する表示装置とを含むことを特徴とする請求項７記載の誤り是正システム。
【請求項９】
入力画像の画像特徴を抽出生成する画像特徴抽出生成ステップと、
入力画像を圧縮する画像圧縮ステップと、
前記画像特徴抽出生成ステップで抽出生成された画像特徴データと前記画像圧縮ステップで圧縮された圧縮画像データとを対向装置へ多重送信する多重送信ステップと、
前記対向装置から送信された是正信号に基づき画像データの誤りを是正する是正ステップとを含むことを特徴とする誤り是正方法。
【請求項１０】
前記画像特徴抽出生成ステップは特徴抽出の生成を画像解像度調整により実現することを特徴とする請求項９記載の誤り是正方法。
【請求項１１】
前記入力画像は動画であることを特徴とする請求項９または１０記載の誤り是正方法。
【請求項１２】
対向装置から送信された入力画像の画像特徴データおよび前記入力画像の圧縮画像データを多重した多重データから、前記画像特徴データおよび前記圧縮画像データを分離する多重分離ステップと、
前記分離された圧縮画像データを伸張する画像伸張ステップと、
前記伸張された画像データの画像特徴を抽出生成する画像特徴抽出生成ステップと、
前記分離された画像特徴データと前記画像特徴抽出生成ステップで抽出生成された画像特徴データとを比較し不一致であった場合に是正信号を前記対向装置へ送信する是正信号送信ステップとを含むことを特徴とする誤り是正方法。
【請求項１３】
前記画像特徴抽出生成ステップは特徴抽出の生成を画像解像度調整により実現することを特徴とする請求項１２記載の誤り是正方法。
【請求項１４】
前記入力画像は動画であることを特徴とする請求項１２または１３記載の誤り是正方法。
【請求項１５】
請求項９から１１いずれかに記載の誤り是正方法および請求項１２から１４いずれかに記載の誤り是正方法を含むことを特徴とする誤り是正方法。
【請求項１６】
コンピュータに、入力画像の画像特徴を抽出生成する画像特徴抽出生成ステップと、
入力画像を圧縮する画像圧縮ステップと、
前記画像特徴抽出生成ステップで抽出生成された画像特徴データと前記画像圧縮ステップで圧縮された圧縮画像データとを対向装置へ多重送信する多重送信ステップと、
前記対向装置から送信された是正信号に基づき画像データの誤りを是正する是正ステップとを実行させるためのプログラム。
【請求項１７】
前記画像特徴抽出生成ステップは特徴抽出の生成を画像解像度調整により実現することを特徴とする請求項１６記載のプログラム。
【請求項１８】
前記入力画像は動画であることを特徴とする請求項１６または１７記載のプログラム。
【請求項１９】
コンピュータに、対向装置から送信された入力画像の画像特徴データおよび前記入力画像の圧縮画像データを多重した多重データから、前記画像特徴データおよび前記圧縮画像データを分離する多重分離ステップと、
前記分離された圧縮画像データを伸張する画像伸張ステップと、
前記伸張された画像データの画像特徴を抽出生成する画像特徴抽出生成ステップと、
前記分離された画像特徴データと前記画像特徴抽出生成ステップで抽出生成された画像特徴データとを比較し不一致であった場合に是正信号を前記対向装置へ送信する是正信号送信ステップとを実行させるためのプログラム。
【請求項２０】
前記画像特徴抽出生成ステップは特徴抽出の生成を画像解像度調整により実現することを特徴とする請求項１９記載のプログラム。
【請求項２１】
前記入力画像は動画であることを特徴とする請求項１９または２０記載のプログラム。
【発明の詳細な説明】
【技術分野】
【０００１】
本発明は、画像圧縮装置、画像圧縮誤り是正装置、それらを用いる誤り是正システムならびに誤り是正方法に関し、特に画像データの閲覧および画像を蓄積する通信システムに用いられる画像圧縮装置、画像圧縮誤り是正装置、それらを用いる誤り是正システムならびに誤り是正方法に関する。
【背景技術】
【０００２】
関連する画像圧縮装置の一例として、空港監視カメラシステム、道路監視システム等の監視画像のデータ圧縮から記録再生に係る装置、あるいは音楽のライブイベント等で十数台のカメラを設置し、同時並列的に全ての映像を録画するようなシステムが存在する。
【０００３】
これらの関連装置では、静止画像あるいは動画圧縮されたデータをそのまま閲覧するかあるいは蓄積装置で録画していた。
【０００４】
一方、車両全体の画像と、車両一部の傷画像とを別個に送信することにより、受信側装置において傷画像を確実に受信することが可能な画像伝送システムが特許文献１に記載されている。
【０００５】
また、入力画像と参照画像の特徴量同士を比較し、比較結果を出力する画像処理装置が特許文献２に記載されている。
【０００６】
また、送信画像と受信画像とが不一致の場合、画像を再送する画像入力装置が特許文献３に記載されている。
【０００７】
【特許文献１】特開平１０−０９８６２２号公報
【特許文献２】特開２００２−２０３２４３号公報
【特許文献３】特開平０５−１４５７０１号公報
【発明の開示】
【発明が解決しようとする課題】
【０００８】
画像データ、特に動画圧縮データには連続性がある。したがって、ごく短期間のデータ誤りでも動画再生に支障をきたす場合がある。これに対し、データ誤りが一部のフレームにしか発生しない場合、画像圧縮装置側ではそのようなデータ誤りは軽微と判定され、動画再生が継続される場合もある。
【０００９】
一例として、エンコーダチップの熱暴走等によりエンコーダチップ自身の誤動作の検出が困難となる場合や、ＭＰＥＧ（Ｍｏｖｉｎｇ  Ｐｉｃｔｕｒｅ  Ｅｘｐｅｒｔｓ  Ｇｒｏｕｐ）のＢピクチャのデータが壊れて、続くフレームの画像データが正しく再現できないデータとして伝送されても、後続のＩピクチャで復旧した場合、以降は正常に戻ってしまう場合等である。
【００１０】
しかし、このような軽微なデータ誤りであっても、そのデータに重要なシーンが含まれている可能性がある。したがって、軽微なデータ誤りであっても検出されることが望ましい。記録した画像を再生した時点て初めて収録時のエンコーダの誤動作が判明するのでは遅い場合がある。
【００１１】
一方、上記特許文献１〜３のいずれにも、元の画像特徴と、受信側装置で受信した圧縮画像データから生成した画像特徴とを受信側装置で比較し、不一致であった場合に是正信号を送信側装置へ送信する誤り是正システムは全く記載されていない。
【００１２】
そこで本発明の目的は、画像圧縮装置にて画像データの誤りを是正することが可能な画像圧縮装置、画像圧縮誤り是正装置、それらを用いる誤り是正システムならびに誤り是正方法を提供することにある。
【課題を解決するための手段】
【００１３】
前記課題を解決するために、本発明による画像圧縮装置は、入力画像の画像特徴を抽出生成する画像特徴抽出生成部と、入力画像を圧縮する画像圧縮部と、前記画像特徴抽出生成部で抽出生成された画像特徴データと前記画像圧縮部で圧縮すれた圧縮画像データとを対向装置へ多重送信する多重送信部とを含み、前記画像圧縮部は前記対向装置から送信された是正信号に基づき画像データの誤りを是正することを特徴とする。
【００１４】
また、本発明による画像圧縮誤り是正装置は、対向装置から送信された入力画像の画像特徴データおよび前記入力画像の圧縮画像データを多重した多重データから、前記画像特徴データおよび前記圧縮画像データを分離する多重分離部と、前記分離された圧縮画像データを伸張する画像伸張部と、前記伸張された画像データの画像特徴を抽出生成する画像特徴抽出生成部と、前記分離された画像特徴データと前記画像特徴抽出生成部で抽出生成された画像特徴データとを比較し不一致であった場合に是正信号を前記対向装置へ送信する是正信号送信部とを含むことを特徴とする。
【００１５】
また、本発明による誤り是正システムは、前記画像圧縮装置及び前記画像圧縮誤り是正装置を含むことを特徴とする。
【００１６】
また、本発明による誤り是正方法は、入力画像の画像特徴を抽出生成する画像特徴抽出生成ステップと、入力画像を圧縮する画像圧縮ステップと、前記画像特徴抽出生成ステップで抽出生成された画像特徴データと前記画像圧縮ステップで圧縮すれた圧縮画像データとを対向装置へ多重送信する多重送信ステップと、前記対向装置から送信された是正信号に基づき画像データの誤りを是正する是正ステップとを含むことを特徴とする。
【００１７】
また、本発明による他の誤り是正方法は、対向装置から送信された入力画像の画像特徴データおよび前記入力画像の圧縮画像データを多重した多重データから、前記画像特徴データおよび前記圧縮画像データを分離する多重分離ステップと、前記分離された圧縮画像データを伸張する画像伸張ステップと、前記伸張された画像データの画像特徴を抽出生成する画像特徴抽出生成ステップと、前記分離された画像特徴データと前記画像特徴抽出生成ステップで抽出生成された画像特徴データとを比較し不一致であった場合に是正信号を前記対向装置へ送信する是正信号送信ステップとを含むことを特徴とする。
【００１８】
また、本発明による別の誤り是正方法は、前記２つの誤り是正方法を含むことを特徴とする。
【００１９】
また、本発明によるプログラムは、コンピュータに、入力画像の画像特徴を抽出生成する画像特徴抽出生成ステップと、入力画像を圧縮する画像圧縮ステップと、前記画像特徴抽出生成ステップで抽出生成された画像特徴データと前記画像圧縮ステップで圧縮すれた圧縮画像データとを対向装置へ多重送信する多重送信ステップと、前記対向装置から送信された是正信号に基づき画像データの誤りを是正する是正ステップとを実行させるためのプログラムであることを特徴とする。
【００２０】
また、本発明による他のプログラムは、コンピュータに、対向装置から送信された入力画像の画像特徴データおよび前記入力画像の圧縮画像データを多重した多重データから、前記画像特徴データおよび前記圧縮画像データを分離する多重分離ステップと、前記分離された圧縮画像データを伸張する画像伸張ステップと、前記伸張された画像データの画像特徴を抽出生成する画像特徴抽出生成ステップと、前記分離された画像特徴データと前記画像特徴抽出生成ステップで抽出生成された画像特徴データとを比較し不一致であった場合に是正信号を前記対向装置へ送信する是正信号送信ステップとを実行させるためのプログラムであることを特徴とする。
【発明の効果】
【００２１】
本発明によれば、画像圧縮装置にて画像データの誤りを是正することが可能となる。
【発明を実施するための最良の形態】
【００２２】
以下、本発明の実施形態について添付図面を参照しながら説明する。
【００２３】
まず、第１実施形態について説明する。図１は本発明の第１実施形態の構成図である。
【００２４】
同図を参照すると、本発明に係る画像圧縮装置１は、入力画像２１の画像特徴を抽出生成する画像特徴抽出生成部１１と、入力画像２１を圧縮する画像圧縮部１２と、画像特徴抽出生成部１１で抽出生成された画像特徴データ２２ａと画像圧縮部１２で圧縮された圧縮画像データ２３とを対向装置へ多重データ２５として多重送信する多重送信部１３とを含み、画像圧縮部１２は対向装置から送信された是正信号２４に基づき画像圧縮を是正することを特徴とする。
【００２５】
入力画像２１には静止画像と動画像の両者が含まれる。
【００２６】
画像圧縮装置１は入力画像２１を圧縮した圧縮画像データ２３と、入力画像２１の画像特徴を抽出生成した画像特徴データ２２ａとを多重し、多重データ２５として対向装置へ送信する。
【００２７】
この多重データ２５を受信した対向装置は、多重データ２５に基づき所定の処理を実行し、是正信号２４を画像圧縮装置１へ返送する。
【００２８】
この是正信号２４を受信した画像圧縮装置１の画像圧縮部１２は、是正信号２４に基づき画像圧縮を是正する。
【００２９】
次に、第１実施形態の動作について説明する。図２は本発明の第１実施形態の動作を示すフローチャートである。
【００３０】
同図を参照すると、本発明に係る画像圧縮装置１は、画像特徴抽出生成部１１にて入力画像２１の画像特徴を抽出生成し（ステップＳ１）、画像圧縮部１２にて入力画像２１を圧縮し（ステップＳ２）、多重送信部１３にて画像特徴データ２２ａと圧縮画像データ２３とを対向装置へ多重データ２５として多重送信する（ステップＳ３）。次に、対向装置からの是正信号２４に基づき画像データの誤りを是正する（ステップＳ４）。
【００３１】
以上説明したように、本発明の第１実施形態によれば、画像圧縮装置にて画像データの誤りを是正することが可能となる。これにより、誤ったデータの蓄積を省くことが可能となる。また、今まで人的な是正に頼っていた作業をシステムが自動的に是正するため、時間や費用を節約することが可能となる。
【００３２】
次に、第２実施形態について説明する。図３は本発明の第２実施形態の構成図である。
【００３３】
同図を参照すると、本発明に係る画像圧縮誤り是正装置２は、対向装置から送信された多重データ２５から、画像特徴データ２２ａおよび圧縮画像データ２３を分離する多重分離部３１と、分離された圧縮画像データ２３を伸張する画像伸張部３４と、伸張された画像データ２７の画像特徴を抽出する画像特徴抽出生成部３２と、分離された画像特徴データ２２ａと画像特徴抽出生成部３２で抽出生成された画像特徴データ２２ｂとを比較し、不一致の場合に是正信号２４を対向装置へ送信する是正信号送信部３３とを含んでいる。
【００３４】
多重分離部３１は多重データ２５を画像特徴データ２２ａおよび圧縮画像データ２３に分離する。画像伸張部３４は画像圧縮データ２３を伸張する。
【００３５】
画像特徴抽出生成部３２は画像圧縮装置１の画像特徴抽出生成部１１（図１参照）と同様の構成を有しており、したがって画像特徴抽出生成部１１と同様の処理を実行する。
【００３６】
したがって、画像伸張部３４で伸張された伸張画像データ２７は画像特徴抽出生成部３２で画像特徴抽出生成部１１と同様の処理により特徴抽出がなされ、画像特徴データ２２ｂとして出力される。
【００３７】
一方、多重分離部３１で分離された画像特徴データ２２ａはもともと、画像圧縮装置１の画像特徴抽出生成部１１にて入力画像２１から直接（すなわち、画像圧縮部１２を介さないで）、特徴抽出されたものであり、画像圧縮部１２の処理とは関わりがない。
【００３８】
他方、多重分離部３１で分離された圧縮画像データ２３は画像圧縮装置１の画像圧縮部１２で圧縮されたものであるため、画像圧縮部１２の障害により誤ったデータとなっている可能性がある。
【００３９】
したがって、圧縮画像データ２３が誤ったデータである場合には、そのデータを元に特徴抽出した画像特徴データは上記画像特徴データ２２ａとは異なるデータとなっているはずである。したがって、本発明では、画像特徴抽出生成部３２で抽出生成される画像特徴データを画像特徴データ２２ａと区別して画像特徴データ２２ｂとしている。
【００４０】
是正信号送信部３３は画像特徴データ２２ａと画像特徴データ２２ｂとを比較し、不一致の場合に是正信号２４を対向装置へ送信する。
【００４１】
なお、比較結果が一致の場合は是正信号２４を送信しない。
【００４２】
次に、第２実施形態の動作について説明する。図４は本発明の第２実施形態の動作を示すフローチャートである。
【００４３】
同図を参照すると、本発明に係る画像圧縮誤り是正装置２は、多重分離部３１にて対向装置からの多重データ２５を画像特徴データ２２ａと圧縮画像データ２３に分離する（ステップＳ１１）。次に、分離した圧縮画像データ２３を画像伸張部３４で伸張する（ステップＳ１２）。次に、画像特徴抽出生成部３２にて伸張画像データ２７の画像特徴を抽出生成する（ステップＳ１３）。次に、分離された画像特徴データ２２ａと伸張画像データ２７から抽出生成された画像特徴データ２２ｂとが比較され、不一致であった場合に是正信号２４が対向装置へ送信される（ステップＳ１４）。
【００４４】
以上説明したように、本発明の第２実施形態によれば、受信した圧縮画像データ２３に誤りをあるか否かを判定することが可能となる。また、比較結果が一致の場合は是正信号２４を送信しない構成であるため、送信データ量および処理時間の節減が可能となる。
【００４５】
次に、第３実施形態について説明する。図５は本発明の第３実施形態の構成図である。
【００４６】
第３実施形態は誤り是正システムの一例に関する。なお、本実施形態では動画圧縮データの是正システムの一例について説明するが、本発明を静止画圧縮データに適用することも可能である。
【００４７】
同図を参照すると、本発明に係る誤り是正システムは、動画圧縮装置４１と、動画圧縮誤り是正装置４２と、ＩＰ（Ｉｎｔｅｒｎｅｔ  Ｐｒｏｔｏｃｏｌ）網４３と、蓄積装置４４と、動画伸張装置４５と、表示装置４６とを含んで構成される。
【００４８】
動画圧縮装置４１は動画映像２６を圧縮する。動画圧縮誤り是正装置４２は動画映像２６の圧縮誤りを是正する。ＩＰ網４３は通信網の一例である。蓄積装置４４は動画圧縮装置４１からの動画映像２６の圧縮データをＩＰ網４３を介して受信し蓄積する。動画伸張装置４５は動画圧縮装置４１からの動画映像２６の圧縮データをＩＰ網４３を介して受信し伸張する。表示装置４６は動画伸張装置４５から伸張後の動画映像２６を受信し表示する。
【００４９】
すなわち、本発明に係る是正システムは、動画圧縮装置４１からの映像データをＩＰ網４３を介して蓄積し、表示する通信システムに用いられるものであり、これらの処理とともに動画圧縮装置４１および動画圧縮誤り是正装置４２にて動画圧縮の誤り是正が行われるところに特徴がある。
【００５０】
次に、動画圧縮装置４１の構成について説明する。動画圧縮装置４１はアナログ／デジタル変換部（以下“Ａ／Ｄ”と表示する）５１と、映像フレームメモリ５２と、動画圧縮部５３と、多重部５４と、ＩＰ部５５と、画像特徴抽出生成部５６と、制御部５７と、プログラム格納部５８とを含んでいる。
【００５１】
制御部５７はプログラム格納部５８に格納されたプログラムにしたがって各部５１〜５６および５８を制御する。また、プログラム格納部５８には図２にフローチャートで示すプログラムが格納されている。
【００５２】
次に、動画圧縮装置４１の動作について説明する。動画圧縮装置４１のＡ／Ｄ５１はアナログ動画映像２６をデジタル変換し、映像フレームメモリ５２で１枚の画像としてデータをデジタル保管する。
【００５３】
保管されたデジタルデータは動画圧縮部５３と画像特徴抽出生成部５６とに渡され、動画圧縮部５３ではデジタル画像データを圧縮デジタルデータに変換する。
【００５４】
また、動画圧縮部５３はＩＰ部５５を介して動画圧縮誤り是正装置４２から送信された是正信号７５に基づき画像データの誤りを是正する。
【００５５】
画像特徴抽出生成部５６は入力された１枚の画像の特徴を抽出し、デジタルデータ化し、画像比較処理のために同期管理を行い出力する。
【００５６】
動画圧縮部５３で変換された圧縮デジタルデータと画像特徴抽出生成部５６で抽出されたデジタル特徴データは多重部５４で多重化され、ＩＰ部５５はこの多重データをＩＰ網４３で伝送できるプロトコルに変換しＩＰ網４３へ出力する。
【００５７】
次に、動画圧縮誤り是正装置４２の構成について説明する。動画圧縮誤り是正装置４２はＩＰ部６１と、多重分離部６２と、動画伸張部６３と、画像特徴抽出生成部６４と、画像特徴抽出再生部６５と、比較部６６と、制御部６７と、プログラム格納部６８とを含んでいる。
【００５８】
制御部６７はプログラム格納部６８に格納されたプログラムにしたがって各部６１〜６６および６８を制御する。また、プログラム格納部６８には図４にフローチャートで示すプログラムが格納されている。
【００５９】
次に、動画圧縮誤り是正装置４２の動作について説明する。動画圧縮誤り是正装置４２は、ＩＰ部６１にてＩＰ網４３から多重データ（伝送プロトコル）を受信する。
【００６０】
多重分離部６２は多重データを圧縮デジタルデータと、デジタル特徴データとに分離し、圧縮デジタルデータは動画伸張部６３で伸張され、１枚の画像データに復元される。
【００６１】
画像特徴抽出生成部６４は動画圧縮装置４１の画像特徴抽出生成部５６と同様の処理を行い、１枚の画像データから画像の特徴を抽出し、デジタルデータ化する。
【００６２】
一方、多重分離部６２で分離された残りのデジタル特徴データは、画像特徴抽出再生部６５で動画圧縮装置４１の画像特徴抽出生成部５６で生成した画像に復元再生される。
【００６３】
再生されたデジタル特徴データは、画像特徴抽出生成部６４でデジタル化されたデータと同じ素材を比較できるように同期管理した上で、比較部６６で２つのデータが比較される。
【００６４】
比較部６６での比較結果が一致の場合はＩＰ部６１を介して動画圧縮装置４１宛に是正信号７５は送信されない。そして、次の動画圧縮是正処理に移り上記と同様の比較を繰り返す。
【００６５】
一方、比較部６６での比較結果が不一致であった場合は、比較部６６からＩＰ部６１を介して動画圧縮装置４１宛に是正信号７５が送信される。
【００６６】
動画圧縮装置４１では動画圧縮誤り是正装置４２から是正信号７５が送信されると、その是正信号７５を動画圧縮部５３へ入力する。動画圧縮部５３はこの是正信号７５に基づき画像データの誤りを是正する。
【００６７】
以上説明したように、本発明の第３実施形態によれば、動画圧縮装置４１は動画圧縮誤り是正装置４２から是正信号７５を受取ることにより、動画圧縮処理と並行して画像データの誤りを是正することが可能となる。また、最低画像１枚で比較が実行できるため、誤ったデータを送出しても短時間で是正することが可能となる。
【００６８】
次に、第４実施形態について説明する。図６は本発明の第４実施形態の構成図である。第４実施形態は画像特徴抽出生成部の構成の具体例を示す。
【００６９】
同図を参照すると、画像特徴抽出生成部７１は画像解像度調整部８１を含んでいる。
【００７０】
第４実施形態では画像特徴抽出生成部７１は画像解像度調整部８１にて入力画像データの画像解像度を調整し、調整後の画像データを特徴抽出データとして利用する。
【００７１】
すなわち、図５の動画圧縮装置４１の画像特徴抽出生成部５６に画像解像度調整部８１が設けられている場合について説明すると、映像フレームメモリ５２からの画像データ（動画圧縮部５３で圧縮されないデータ）は画像特徴抽出生成部５６内の画像解像度調整部８１で解像度調整が行われる。この解像度調整された画像データが特徴抽出データとなる。
【００７２】
そして、その解像度調整された画像データは多重部５４およびＩＰ部５５を解して動画圧縮誤り是正装置４２へ入力される。
【００７３】
動画圧縮誤り是正装置４２ではＩＰ部６１および多重分離部６２を介して画像特徴抽出再生部６５にて解像度調整された画像データが復元される。
【００７４】
一方、動画圧縮誤り是正装置４２の画像特徴抽出生成部６４でも動画圧縮装置４１の画像特徴抽出生成部５６と同様の処理が行われ、画像特徴抽出生成部６４内の画像解像度調整部８１で入力画像データの解像度調整が行われる。
【００７５】
そして、解像度調整された２つの画像データが比較部６６で比較される。
【００７６】
図６に戻り、一例として、画像特徴抽出生成部７１内の画像解像度調整部８１は画像解像度を元の画像解像度よりも小さくする。ここで得られた低解像度の画像が元の画像の特徴データとなる。
【００７７】
解像度調整の例として、ＶＧＡ（ｖｉｄｅｏ  ｇｒａｐｈｉｃｓ  ａｒｒａｙ）の６４０×４８０ピクセル解像度をＱＶＧＡ（ｑｕａｒｔｅｒ  ＶＧＡ）の３２０×２４０ピクセルにすることで、データ量を１／４に減少させることができる。また、ＱＱＶＧＡの１６０×１２０ピクセルでは、１／１６までデータ量を減らすことが可能となる。
【００７８】
特徴抽出は画面特徴を抽出するための仕組みであり、元画像に復元する必要がないのでＱＱＶＧＡ程度の解像度であっても十分に特徴を抽出することが可能となる。
【００７９】
なお、特徴抽出生成は上記画像解像度調整の他に、画像内のエッジ、輪郭、線成分の抽出や領域分割、テクスチャ抽出等、様々な抽出生成の適用が可能である。また、元の画像の解像度を調整した後に、これらの他の方法で特徴抽出を行うことも可能である。
【００８０】
以上説明したように、本発明の第４実施形態によれば、画像解像度調整により画像解像度を元の画像解像度よりも小さくすることでデータを小さく生成でき、ＩＰ網に乗せるデータ量を少なくし、ネットワーク負荷を軽減することが可能となる。
【００８１】
次に、第５実施形態について説明する。第５実施形態については図５を参照する。図５では、動画圧縮装置４１と動画圧縮誤り是正装置４２とが１台ずつ設けられた是正システムについて説明したが、動画圧縮装置４１は１台に限定されるものではなく複数台設けることが可能である。
【００８２】
動画圧縮装置４１が複数台存在する是正システムでは、特徴抽出を全ての動画圧縮装置４１に対し実行する必要はない。
【００８３】
本実施形態では、１台の動画圧縮誤り是正装置４２が複数台の動画圧縮装置４１を１台ずつ順々にチェックし、チェック対象となった動画圧縮装置４１についてのみ特徴抽出を行う。
【００８４】
以上説明したように、本発明の第５実施形態によれば、抽出生成を比較対象となった動画圧縮装置４１についてのみ実行することでＩＰ網４３に送出するデータを削減することが可能となる。
【産業上の利用可能性】
【００８５】
本発明の動画圧縮をＭＰＥＧ２、ＭＰＥＧ４，Ｈ．２６４、ＪＰＥＧ（Ｊｏｉｎｔ  Ｐｈｏｔｏｇｒａｐｈｉｃ  Ｅｘｐｅｒｔｓ  Ｇｒｏｕｐ）等の圧縮規格に適用することが可能である。
【００８６】
ＩＰ網の帯域によっては動画圧縮伸張処理を用いずに、ＰＣＭ−ＩＭ（Ｐｕｌｓｅ  Ｃｏｄｅ  Ｍｏｄｕｌａｔｉｏｎ−Ｉｎｔｅｎｓｉｔｙ  Ｍｏｄｕｌａｔｉｏｎ），ＰＦＭ−ＩＭ（Ｐｕｌｓｅ  Ｆｒｅｑｕｅｎｃｙ  Ｍｏｄｕｌａｔｉｏｎ−ＩＭ）方式等の変調伝送を行うシステムに適用することも可能である。
【００８７】
また、ＩＰ網はＡＴＭ（Ａｓｙｎｃｈｒｏｎｏｕｓ  Ｔｒａｎｓｆｅｒ  Ｍｏｄｅ）網、ＳＤＨ（Ｓｙｎｃｈｒｏｎｏｕｓ  Ｄｉｇｉｔａｌ  Ｈｉｅｒａｒｃｈｙ）網、デジタル専用線等のＷＡＮ（Ｗｉｄｅ  Ａｒｅａ  Ｎｅｔｗｏｒｋ）回線、ファイバーチャネル等の高速ＬＡＮ（Ｌｏｃａｌ  Ａｒｅａ  Ｎｅｔｗｏｒｋ）、ｘＤＳＬ（ｘ  Ｇｉｄｉｔａｌ  Ｓｕｂｓｃｒｉｂｅｒ  Ｌｉｎｅ）等のアクセスネットワーク、無線ＬＡＮや携帯電話回線等の無線通信を用いることも可能である。
【図面の簡単な説明】
【００８８】
【図１】本発明の第１実施形態の構成図である。
【図２】本発明の第１実施形態の動作を示すフローチャートである。
【図３】本発明の第２実施形態の構成図である。
【図４】本発明の第２実施形態の動作を示すフローチャートである。
【図５】本発明の第３実施形態の構成図である。
【図６】本発明の第４実施形態の構成図である。
【符号の説明】
【００８９】
１，４１  画像圧縮装置
２，４２  画像圧縮誤り是正装置
１１，３２  画像特徴抽出生成部
５６，６４，７１  画像特徴抽出生成部
１２  画像圧縮部
１３  多重送信部
２１  入力画像
２２ａ，２２ｂ  画像特徴データ
２３  圧縮画像データ
２４，７５  是正信号
２５  多重データ
２６  動画映像
２７  伸張画像データ
３１，６２  多重分離部
３２  画像特徴抽出生成部
３３  是正信号送信部
３４  画像伸張部
４３  ＩＰ網
４４  蓄積装置
４５  動画伸張装置
４６  表示装置
５１  アナログ／デジタル変換部（Ａ／Ｄ）
５２  映像フレームメモリ
５３  動画圧縮部
５４  多重部
５５，６１  ＩＰ部
５７，６７  制御部
５８，６８  プログラム格納部
６３  動画伸張部
６５  画像特徴抽出再生部
６６  比較部
８１  画像解像度調整部
【図１】
2009182540.tif 000003
【図２】
2009182540.tif 000004
【図３】
2009182540.tif 000005
【図４】
2009182540.tif 000006
【図５】
2009182540.tif 000007
【図６】
2009182540.tif 000008